(57)【特許請求の範囲】
【請求項１】
光コネクタ（Ｃ）を把持する光コネクタ把持機構（Ａ）であって、前記光コネクタの一側部に設けられた角部（１）に一致する形状の位置決め用の支持部（１１）を備える治具本体（１０）と、前記角部を前記治具本体の位置決め用の支持部に押し込む方向へ前記光コネクタを押圧する押圧部材（２０ａ、２０ｃ）と、この押圧部材２０ａ，２０ｂを光コネクタＣへ向かって押圧する押圧機構（３０）とを備え、
前記押圧部材は、光コネクタの前記一側部に対向する他側部に設けられた角部（２）に一致する形状の位置決め用の支持部（２１）を備え、前記光コネクタが前記治具本体の位置決め用の支持部と前記押圧部材の位置決め用の支持部との間に挟み込まれて位置決めされるようになっており、
前記押圧機構（３０）は、先端に押圧部材（２０ａ，２０ｂ）が設けられた押圧ブロック（３１）と、押圧部材（２０ａ，２０ｂ）の設けられた側と反対の側で押圧ブロック（３１）に螺合する押圧ネジ（３２）と、押圧ブロック（３１）の側部に摺接して前記押圧ブロックを前記治具本体（１０）に向けて進退動自在に誘導し、かつ、押圧ネジ（３２）を回転自在に支持する取付フレーム（３３）とから構成され、
前記取付フレーム（３３）は、取付ネジ（５１）により治具本体（１０）に回転自在に取り付けられる取付部（３３１）と、この取付部（３３１）と反対の側に設けられ、治具本体（１０）から突き出した係合ピン（５２）に係止するよう設けられた係止溝（３３２）及び前記係合ピンに係合する止め金（３３３）とを具備し、前記係合ピン（５２）から外れた状態で前記係止溝（３３２）が係合ピン（５２）に係止するまで前記取付ネジ（５１）周りに回転して、止め金（３３３）を係合ピン（５２）に係合させることで、治具本体（１０）に固定できることを特徴とする光コネクタ把持機構。
【請求項２】
前記取付フレーム（３３）の中央付近には、押圧ブロック（３１）を収納する押圧ブロック収納部（３３４）と、押圧ネジ（３２）を回転自在に支持する押圧ネジ支持部（３３５）とが設けられ、
前記取付フレーム（３３）の前記押圧ブロック収納部には、押圧ブロック（３１）の側部と摺接して治具本体１０に向けて進退自在に誘導する誘導部（３３６、３３６）が設けられ、前記押圧ブロックは、両側部の摺動溝（３１２、３１２）を取付フレーム３３の誘導部（３３６、３３６）に係合させた状態で、押圧ブロック３１の側部と摺接して治具本体１０に向けて進退自在に誘導されることを特徴とする請求項１記載の光コネクタ把持機構。
【請求項３】
請求項１又は２記載の光コネクタ把持機構を具備し、この光コネクタ把持機構によって把持固定された光コネクタが加工手段によって加工される加工位置に位置決めされるようになっていることを特徴とする光コネクタ加工装置。
【発明の詳細な説明】
【０００１】
【発明の属する技術分野】
本発明は、光コネクタを把持して位置決めする光コネクタ把持機構及び光コネクタ加工装置に関する。
【０００２】
【従来の技術】
従来、例えば、ＪＩＳ Ｃ ５９８１ に制定されるＭＴ（Mechanical Transferable）形光コネクタの接合端面の研磨は、専用の研磨装置を用いて行われることが多い。前記研磨装置は、前記ＭＴ形光コネクタをチャックに把持固定し、この固定されたＭＴ形コネクタの接合端面を回転駆動された研磨盤に接触させることで研磨する構造が一般的である。
【０００３】
【発明が解決しようとする課題】
ところで、前記ＭＴ形光コネクタを把持固定するチャックは、一対の把持ブロックにそれぞれ設けられて互いに平行になっている押え面の間にＭＴ形光コネクタを単純に挟み込んで固定する構造であり、前記研磨盤に対するＭＴ形光コネクタの接合端面の向きの設定等は、その都度行わねばならず、非常に手間のかかる作業となっていた。
【０００４】
本発明は、上記の事情に鑑みてなされたものであって、光コネクタの位置決め固定を容易に行うことのできる光コネクタ把持機構及び光コネクタ加工装置を提供することを目的とする。
【０００５】
【課題を解決するための手段】
請求項１記載の発明は、光コネクタ（Ｃ）を把持する光コネクタ把持機構（Ａ）であって、前記光コネクタの一側部に設けられた角部（１）に一致する形状の位置決め用の支持部（１１）を備える治具本体（１０）と、前記角部を前記治具本体の位置決め用の支持部に押し込む方向へ前記光コネクタを押圧する押圧部材（２０ａ、２０ｃ）と、この押圧部材２０ａ，２０ｂを光コネクタＣへ向かって押圧する押圧機構（３０）とを備え、前記押圧部材は、光コネクタの前記一側部に対向する他側部に設けられた角部（２）に一致する形状の位置決め用の支持部（２１）を備え、前記光コネクタが前記治具本体の位置決め用の支持部と前記押圧部材の位置決め用の支持部との間に挟み込まれて位置決めされるようになっており、前記押圧機構（３０）は、先端に押圧部材（２０ａ，２０ｂ）が設けられた押圧ブロック（３１）と、押圧部材（２０ａ，２０ｂ）の設けられた側と反対の側で押圧ブロック（３１）に螺合する押圧ネジ（３２）と、押圧ブロック（３１）の側部に摺接して前記押圧ブロックを前記治具本体（１０）に向けて進退動自在に誘導し、かつ、押圧ネジ（３２）を回転自在に支持する取付フレーム（３３）とから構成され、前記取付フレーム（３３）は、取付ネジ（５１）により治具本体（１０）に回転自在に取り付けられる取付部（３３１）と、この取付部（３３１）と反対の側に設けられ、治具本体（１０）から突き出した係合ピン（５２）に係止するよう設けられた係止溝（３３２）及び前記係合ピンに係合する止め金（３３３）とを具備し、前記係合ピン（５２）から外れた状態で前記係止溝（３３２）が係合ピン（５２）に係止するまで前記取付ネジ（５１）周りに回転して、止め金（３３３）を係合ピン（５２）に係合させることで、治具本体（１０）に固定できることを特徴とする光コネクタ把持機構である。
請求項２に記載の発明は、前記取付フレーム（３３）の中央付近には、押圧ブロック（３１）を収納する押圧ブロック収納部（３３４）と、押圧ネジ（３２）を回転自在に支持する押圧ネジ支持部（３３５）とが設けられ、前記取付フレーム（３３）の前記押圧ブロック収納部には、押圧ブロック（３１）の側部と摺接して治具本体１０に向けて進退自在に誘導する誘導部（３３６、３３６）が設けられ、前記押圧ブロックは、両側部の摺動溝（３１２、３１２）を取付フレーム３３の誘導部（３３６、３３６）に係合させた状態で、押圧ブロック３１の側部と摺接して治具本体１０に向けて進退自在に誘導されることを特徴とする請求項１記載の光コネクタ把持機構である。
【０００８】
このような構成としたことにより、治具本体と押圧部材の間に挿入された光コネクタは、治具本体と押圧部材との間に把持固定されると同時に、この光コネクタの一側部に設けられた角部が、治具本体の位置決め用の支持部に押圧されることで位置決めされる。
【００１０】
このような構成としたことにより、治具本体と押圧部材の間に挿入された光コネクタは、治具本体と押圧部材との間に把持固定されると同時に、この光コネクタの一側部及び対向する他側部に設けられた角部が、治具本体と押圧部材のそれぞれに設けられた位置決め用の支持部に押込まれることで確実に位置決めされる。
【００１１】
請求項４に記載の発明は、請求項１又は２記載の光コネクタ把持機構を具備した光コネクタ加工装置であって、この光コネクタ把持機構によって把持固定された光コネクタが加工手段によって加工される加工位置に位置決めされるようになっていることを特徴とする。
【００１２】
このような構成としたことにより、光コネクタが光コネクタ把持機構によって把持固定されるとともに所望の加工位置に正確に位置決めされ、加工手段によって加工される。
【００１３】
【発明の実施の形態】
以下、本発明の一実施形態を図面に基づき説明する。図１及び図２は、本発明に係る光コネクタ加工装置としての光コネクタ研磨装置における光コネクタ固定部Ｋ近傍を示す。前記光コネクタ固定部Ｋは、光コネクタＣをそれぞれ把持して位置決めする光コネクタ把持機構Ａを複数（図では二つ）備えたものである。
この光コネクタ加工装置（以下、研磨装置という場合もある）は、光コネクタ把持機構Ａに把持固定した光コネクタＣ，Ｃの接合端面を回転駆動される研磨盤Ｐに接触させて研磨するものである。光コネクタＣ，Ｃは、光コネクタ固定部Ｋの光コネクタ把持機構Ａ，Ａに対向する角部を把持固定されることで、研磨盤Ｐに対する所望の向きを以って位置決めされる。ここで、前記研磨盤Ｐが光コネクタＣを加工する加工手段として機能する。そして、光コネクタＣは、光コネクタ把持機構Ａに把持固定され位置決めされることで加工手段による加工(研磨盤Ｐによる研磨)が可能となり、その位置が、本発明の光コネクタ加工装置における加工位置に相当する。
ここで、光コネクタＣとして、本実施の形態ではＪＩＳ Ｃ ５９８１に制定されるＭＴ形コネクタを採用している。以下、光コネクタＣをＭＴ形コネクタＣと言う場合もある。
【００１４】
光コネクタ把持機構Ａ，Ａは、図１及び図２に示すように、治具本体１０と、押圧部材２０ａ，２０ｂと、押圧機構３０とを備えて構成されるものであり、本実施の形態では複数の光コネクタ把持機構Ａが、同一の治具本体１０を用いて構成されている。
【００１５】
治具本体１０には、光コネクタＣの一側部に設けられた角部１に一致する形状の位置決め用の支持部１１と、押圧部材逃げ溝１２とが設けられている。ここで、押圧部材逃げ溝１２は、押圧部材２０ａが治具本体１０に干渉しないようにするためのものである。
位置決め用の支持部１１と押圧部材逃げ溝１２は、位置決め用の支持部１１に連続して形成されており、各光コネクタ把持機構Ａに対応して治具本体１０に設けられている。また、位置決め用の支持部１１は、光コネクタＣが図１中紙面奥行き方向に挿入されるよう治具本体１０に溝状に形成されており、かつ、光コネクタＣの幅寸法より若干幅広に設けられている。
【００１６】
押圧部材２０ａは、光コネクタＣの一側部に対向する他側部に設けられた角部２に一致する形状の位置決め用の支持部２１を備えている。
また、押圧部材２０ａと押圧部材２０ｂは、それらの間に隙間２００を有しており、光コネクタＣの側面に設けられた接着剤注入用の穴から突出した接着剤と干渉しないように配設されている。
【００１７】
この押圧部材２０ａ，２０ｂを光コネクタＣへ向かって押圧する押圧機構３０は、先端に押圧部材２０ａ，２０ｂが設けられた押圧ブロック３１と、押圧部材２０ａ，２０ｂの設けられた側と反対の側で押圧ブロック３１に螺合する押圧ネジ３２と、押圧ブロック３１の側部を摺動自在に誘導し、かつ、押圧ネジ３２を回転自在に支持する取付フレーム３３とから構成されている。
【００１８】
取付フレーム３３は、取付部３３１で取付ネジ５１により治具本体１０に回転自在に取り付けられている。取付フレーム３３の取付部３３１と反対の側には、治具本体１０から突き出した係合ピン５２に係止するよう設けられた係止溝３３２と、係合ピンに係合する止め金３３３とが設けられている。
取付フレーム３３の中央付近には、押圧ブロック３１を収納する押圧ブロック収納部３３４と、押圧ネジ３２を回転自在に支持する押圧ネジ支持部３３５とが設けられている。ここで、押圧ブロック収納部３３４は、押圧ブロック３１が光コネクタＣを押圧する方向に延在して形成されており、かつ、押圧ブロック３１の側部と摺接して治具本体１０に向けて進退自在に誘導する誘導部３３６，３３６を備えている。
【００１９】
押圧ブロック３１は、先端部３１１に押圧部材２０ａ，２０ｂが設けられ、取付フレーム３３に摺動自在に拘束された両側部のそれぞれに取付フレーム３３に係合する摺動溝３１２，３１２が設けられ、先端部３１１と反対側に押圧ネジ３２の螺合するネジ部３１３が設けられている。
【００２０】
図１及び図２に示される光コネクタ把持機構Ａにおいて、取付フレーム３３は、最初、係合ピン５２から外れた状態にある。光コネクタＣが治具本体１０の位置決め用の支持部１１に載置されると、取付フレーム３３が係止溝３３２で係合ピン５２に係止するまで取付ネジ５１周りに回転し、止め金３３３が係合ピン５２に係合して、取付フレーム３３が治具本体１０に固定される。この状態で、治具本体１０の位置決め用の支持部１１からの光コネクタＣの脱落が防止される。
【００２１】
続いて、取付フレーム３３に回転自在に設けられた押圧ネジ３２が回転されると、押圧ネジ３２にネジ部３１３で螺合する押圧ブロック３１が摺動溝３１２，３１２の係合する誘導部３３６，３３６上を摺動する。この時、押圧ブロック３１が光コネクタＣに向うよう押圧ネジ３２を回転すると、押圧ブロック３１の先端部３１１に設けられた押圧部材２０ａ，２０ｂが光コネクタＣに接近する。この時、押圧部材２０ａの位置決め用の支持部２１が、治具本体１０に設けられた押圧部材逃げ溝１２に入り込む。そして、治具本体１０と押圧部材２０ａがさらに接近すると、光コネクタＣの一側部に設けられた角部１は、治具本体１０に設けられた位置決め用の支持部１１に、光コネクタＣの一側部に対角方向に対向する他側部に設けられた角部２は、押圧部材２０ａに設けられた位置決め用の支持部２１に、それぞれ当接する。
【００２２】
このように、光コネクタＣが治具本体１０と押圧部材２０ａ，２０ｂの間に挿入され、光コネクタＣを把持するよう治具本体１０と押圧部材２０ａ，２０ｂとの間が狭まると、押圧部材２０ａ，２０ｂが光コネクタＣを治具本体１０へ押圧し、角部１が治具本体１０の位置決め用の支持部１１に押し込まれ、光コネクタＣが位置決めされ把持固定される。この時、光コネクタＣの角部１に対向する角部２も、押圧部材２０ａ，２０ｂに設けられた位置決め用の支持部２１に押込まれ、光コネクタＣが治具本体１０の位置決め用の支持部１１と押圧部材２０ａ，２０ｂの位置決め用の支持部２１との間に位置決めされて挟み込まれる。
こうして、光コネクタＣの側部が位置決め固定されることによって光コネクタＣの接合端面３の位置決めもなされることとなり、研磨盤Ｐに対する光コネクタの接合端面３の向きが設定される。したがって、接合端面３が所望の向きに研磨される。
【００２３】
図１及び図２に示される光コネクタ把持機構Ａによれば、光コネクタＣを治具本体１０の位置決め用の支持部１１と押圧部材２０ａ，２０ｂの位置決め用の支持部２１の間に挟み込み把持固定することで研磨盤Ｐに対する光コネクタＣの接合端面３の向きが容易に設定できる。したがって、このような光コネクタ把持機構Ａを具備した研磨装置によれば、光コネクタＣの接合端面３を正確な向きで研磨できる。
【００２４】
なお、治具本体１０に設けられる位置決め用の支持部１１と、押圧部材２０ａ，２０ｂに設けられる位置決め用の支持部２１のパターンに他の組み合わせを用いてもよい。
【００２５】
図３に示される構成は、図１中に示されるような位置決め用の支持部１１に隣接して形成されている押圧部材逃げ溝１２を省略し、かつ、光コネクタＣが半分以上治具本体１０に嵌まるよう位置決め用の支持部１１ａを形成したものである。このような構成によれば、治具本体１０に押圧部材２０ａ,２０ｂを接近させておけば、これら治具本体１０と押圧部材２０ａ,２０ｂとの間に一旦設置した光コネクタＣが治具本体１０の位置決め用の支持部１１内に収納されたまま脱落しにくく、治具本体１０と押圧部材２０ａ,２０ｂとの間の把持固定を容易に行うことができる。
【００２６】
あるいは、図４に示すように、位置決め用の支持部１１ｂをＪＩＳ Ｃ ５９８１に制定されるＭＴ形コネクタよりも幅広に設ける構成にしてもよい。このような構成によれば、幅寸法の異なる複数の種類のＭＴ形光コネクタの把持固定に対応できる。
【００２７】
また、図５に示すように、治具本体１０の位置決め用の支持部１１ｃを治具本体１０に対して斜めの斜面を有するよう形成し、ＭＴ形光コネクタＣが治具本体１０に対し斜めに載置され、角部１のみが治具本体１０に押込まれるような構成にし、かつ、押圧部材２０ｃに山形状の位置決め用の支持部２１ｃを設ける構成としてもよい。かかる構成によれば、位置決め用の支持部１１にＭＴ形光コネクタを素早く設置できるようになり、また複数の種類の幅寸法のＭＴ形光コネクタにも対応することができる。
【００２８】
さらに、上記の実施例では、対角方向に対向する二つの角部１，２に一致する形状の位置決め用の支持部１１ａと位置決め用の支持部１２が治具本体１０と押圧部材２０ａ，２０ｂの双方に設けられる構成としたが、いずれか一方に設けられる構成としてもよい。すなわち、例えば、一方が角部に一致する形状の位置決め用の支持部とされ、他方が点接触で当接するような形状とされても、ＭＴ形光コネクタを位置決めして把持固定することは可能である。
【００２９】
なお、上述した実施の形態では、位置決め用の支持部を一方の角部の形状に一致する構成としたが、位置決めを行うには、必ずしも、角部の形状に一致させなくてもよいことは言うまでもない。光コネクタの角部により、位置決めを行うには、例えば、前記角部を挟み込む二つの側面において、それぞれの側面の少なくとも一点づつを支持すれば、事足りる。すなわち、前記角部の二点を支持部により支持し、前記角部に対向する角部を押圧部材により押圧して前記角部を支持部に押込むようにすれば、光コネクタは三点により支持されるから、正確に位置決めがなされて把持固定される。
要は、相対する側面を押さえて光コネクタを二方向から挟み込むだけではなく、角部を挟む二つの側面押さえ、さらに対向する角部をも押さえるという、いわゆる三点支持を行うことにより、光コネクタを位置決め固定する構成であれば、何でもよい。
【００３０】
加えて、上述した実施の形態では、ＭＴ形光コネクタの接合端面を研磨する研磨装置を例示したが、本発明はこれに限定されず、例えば、ＭＴ形光コネクタへの光ファイバの挿入及び固定、ＭＴ形光コネクタへの嵌合ピンの挿入等に用いられる装置も含まれる。
【００３１】
【発明の効果】
本発明は、以下に記載されるような効果を奏する。
【００３２】
本発明に係る光コネクタ把持機構によれば、角部に一致した形状の支持部により、より安定に光コネクタの位置決めを行うことができる。
【００３３】
また、本発明に係る光コネクタ把持機構によれば、光コネクタの位置決め固定をさらに確実に行うことができる。
【００３４】
本発明に係る光コネクタ加工装置によれば、光コネクタを所望の加工位置に位置決めし、所望の向きで加工することができる。
【図面の簡単な説明】
【図１】本発明の一実施の形態を示す図であって、光コネクタ把持機構を具備した光コネクタ加工装置の要部を拡大して示した平面図である。
【図２】本発明の一実施の形態を示す図であって、光コネクタ把持機構を具備した光コネクタ加工装置の要部を拡大して示した正面図である。
【図３】本発明の他の一実施の形態を示す図であって、治具本体と押圧部材の断面形状を模式的に示す図である。
【図４】本発明のさらに他の一実施の形態を示す図であって、治具本体と押圧部材の断面形状を模式的に示す図である。
【図５】本発明のさらに他の一実施の形態を示す図であって、治具本体と押圧部材の断面形状を模式的に示す図である。
【符号の説明】
Ａ・・・光コネクタ把持機構、Ｃ・・・光コネクタ（ＭＴ形光コネクタ）、Ｐ・・・研磨盤、１・・・角部、２・・・角部、１０・・・治具本体、１１・・・支持部、２０ａ・・・押圧部材、２１・・・支持部、３０・・・押圧機構、３１・・・押圧ブロック、３２・・・押圧ネジ、３３・・・取付フレーム
【図１】
0003946409.tif 000002
【図２】
0003946409.tif 000003
【図３】
0003946409.tif 000004
【図４】
0003946409.tif 000005
【図５】
0003946409.tif 000006